(57)【要約】      （修正有）【課題】対象物を正確に捉える毛抜き、骨抜などの挟み具を提供する。【解決手段】支持部の一端に一対の対峙する作用部を有し、作用部の先端付近を帯状に残して貫通穴、または、切り欠き部を設け、作用帯部を形成する。【選択図】図２
0003178053.tif 000002
【実用新案登録請求の範囲】
【請求項１】
支持部の一端に一対の対峙する作用部を有する挟み具において、
作用部の先端付近を帯状に残して貫通穴、または、切り欠き部を設け、作用帯部を形成したこと
を特徴とする挟み具。
【請求項２】
請求項１に記載の挟み具において、
前記作用帯部の内面に細かな凸凹なラインを施した勘合部を備えたことを
を特徴とする挟み具。
【請求項３】
請求項１から請求項２の何れか一項に記載の挟み具において、
少なくとも前記作用部を一対の金属または、セラミックス粉末射出成形により形成したこと
を特徴とする挟み具。
【考案の詳細な説明】
【技術分野】
【０００１】
本考案は、毛抜き、骨抜き等に関する。
【背景技術】
【０００２】
従来から、毛を挟んで抜く毛抜きや魚の小骨を挟んで抜く骨抜きがある。いずれも対峙する作用部の先端の合わせ精度などを高める事により、使いやすさが高まる。
【０００３】
これらの挟み具は対峙する先端部の精度が要求され、従来のプレス加工や、切削加工では均一な大量生産に適せず、手作業出の精度が出しにくかった。また、これらのことから精度を要求すると高価になった。
【０００４】
特許文献１には、「両把持部の先端側に形成され閉時に当接して毛を挟み込む上側挟持面と下側挟持面とを有する…」と開示されている。
特許文献２には、「該各挟み部の夫々の互いに対向する側の面に設けられた凹部と、
該各凹部の夫々の外周縁部によって構成され…」と開示されている。
【０００５】
特許文献３には「前記挟み部（１ａ）の内面を平面とした挟み面（３）とし、前記支点部（１ｂ）の内面を平面とした当接面（４）とすると共に、前記挟み面（３）と当接面（４）を同一平面上に設けたものとし、…」と挟み面を平面としたものが示されている。
しかしながら、対峙する先端部に貫通穴や切り欠きを設け作用帯部としたものは、開示されていない。
【先行技術文献】
【特許文献】
【０００６】
【特許文献１】特許公開２００７−８２９２３号公報
【特許文献２】登録実用新案第３１５２０７０号公報
【特許文献３】特許第４７７１２３４号公報
【考案の概要】
【考案が解決しようとする課題】
【０００７】
本考案は、対峙する挟み具の作用部手前に切り掻き部を設けることにより先端部の把持幅を狭く分離することにより、作用部の切削や形成しやすくし精度を上げやすくすると共に、作用部の勘合、挟み具合を確認しやすくし、扱いやすい道具を提供する。さらに、骨抜きにおいても、魚などの身を痛めず確実に素早く魚の骨を抜く道具を提供する。
【課題を解決するための手段】
【０００８】
上記課題を解決するために、本考案の一態様に係る挟み具は、支持部の一端に一対の対峙する作用部を有する挟み具において、作用部に貫通穴、または、切り欠き部を設け先端付近を残して作用帯部を形成した。また、少なくとも前記作用部を一対の金属または、セラミックス粉末射出成形により形成した作用端部を備えた。さらに、記載の挟み具において、前記作用端部の作用部の内面に細かな複数の凸凹を施した勘合部を備えたことを特徴とする挟み具である。
金属粉末射出成形、Ｍｅｔａｌ Ｉｎｊｅｃｔｉｏｎ ｍｏｌｄｉｎｇ（メタルインジェクションモールディング）（ＭＩＭと称す）は、金属粉末をプラスチックのように射出成形が行えるようにバインダと混練して射出成形した後バインダを加熱除去し金属単体に焼結させる金属製品加工である。特徴を記載すると、高精度・複雑形状の製造が可能で、形状の複雑な小型部品に適している。切削などの後工程がないため１個当たりの加工時間が短縮され、焼結や鍛造などにおいて不可能な横穴・縦穴などの後加工なしに容易に製造出来る。金属部品が.プラスチックと同じ感覚で作れ、均一に大量生産が可能である。
一方、現在セラミックス粉末射出成形（以降ＣＩＭと称す）においても、金属射出成形同様、寸法精度や生産性に優れた複雑形状のセラミックス製品が可能である。
【考案の効果】
【０００９】
先端が確実に勘合するため、確実な毛抜き、魚の骨抜きが出来る。毛抜きにおいては、細い毛も太い毛も確実に捉える事が出来る。また、見えない部分でも安心して使用できる。魚の毛抜きについては、細い骨も、太い骨も確実に抜けると共に、身を摘む事が少なく、素材を痛めず素早く確実に抜く事が出来る。
【図面の簡単な説明】
【００１０】
【図１】本考案の挟み具の実施例１の平面面である
【図２】本考案の挟み具の実施例１の変形例の斜視図である。
【図３】本考案の挟み具の実施例１の変形例の一部斜視図である。
【図４】本考案の挟み具の実施例２の一部斜視図である。
【図５】本考案の挟み具の実施例２の変形例一部斜視図である。
【考案を実施するための形態】
【００１１】
本考案の実施の形態について、以下、図に基づいて説明する。
【００１２】
図１は本考案の挟み具の実施例１を示す。図１（ａ）は上面から、（ｂ）は正面から見た図を示し、（ｃ）はＡ−Ａの断面図を示す。挟み具１０は、先端に板状の対峙した毛を挟む作用部２と支持部３で構成され、支持部３はバネ性を有したスプリング部３ａにより構成され、作用部２は金属など（例えばＭＩＭまたは、ＣＩＭで成形され焼結）で形成され、スプリング部３ａとは接続部４で接続（例えば金属の場合蝋付け、セラミックスの場合接着）されている。スプリング部３ａは例えばステンレス綱の板材を接合（溶接、蝋付けなど）し形成し付勢部を設けたものである。支持部３の中央付近を指で摘み押す動作により作用部２の先端が開閉する。作用部２の先端側には貫通穴２０が設けられ、作用部先端周辺に作用帯部２ａが形成されている。また、作用部２の作用帯部の内側には凸凹を持った勘合部７、７ａが周辺に沿って輪状に設けられており、例えば毛を摘んだ際に毛を点で押さえることにより確実に捉える事が出来る。従来のプレスや切削加工品と異なり、ＭＩＭ、ＣＩＭで焼結製作することにより、立体的で変形が少なく形成することが出来る。ここでは、スプリング部３ａを別材料としたが、一体で成形しても良いものである。
また、金属板をプレス加工などで形成した場合に、作用部２の作用帯部２ａが帯状のため、従来の平面同士の接合面に比べ、接合部が分離しお互いの接合面の当たる部分を精度良く効率的に切削し仕上げやすい。特に精度向上のために対峙した状態で組み上げ後調整する場合は顕著である。ＭＩＭの材質は例としてステンレス材やチタン材があげられ、ＣＩＭにおいてはアルミナやジルコニアなどがあげられる。これらの場合においても最後の磨きなどを行う際に効率良く出来る。
また、作用部根本の首部を細くすることで、対象物を見分ける視界が広がり次の作業箇所（例えば皮膚の毛で有れば、次の対象の毛）が見つけやすい。それと共に、貫通穴からの毛が見やすく確認しながらの操作が向上する。以降、先に説明した点と同じ内容は適宜省略する。
【００１３】
図２は、本考案の挟み具の実施例１の変形例を耳毛抜きとして使用している状態を示す。例えば、金属で成型した挟み具１１で先端作用部２１が略楕円状体となり中心付近に貫通穴２１が有り作用帯部２ｂは略楕円形リング状の一部形状となっている。また、外耳道８ａの手前の耳毛６を摘んでいる状態を示す。先端形状が略楕円と共に、図１で示した様に先端の断面も丸みが付いているため、作用部付近のエッジで肌を痛めることが少なく、見えない部分でも安心して使用する事が出来るものである。これにより、耳の穴や、鼻の内部の毛、脇の下などの見えない、見えにくい部分の毛を挟む際に、皮膚や粘膜を挟んだり、傷つけたりしにくくするものである。丸み部の半径は０．２ｍｍ以上（例として柔らかい皮膚で約０．４ｍｍ前後が良好）の半径としている。丸み部の半径は大きくなり過ぎると毛を根本から摘みにくくなり、小さくなると皮膚などを摘みやすくなる。
【００１４】
図３は、本考案の実施例１の変形例の挟み具１２を示す。先端作用部２の作用帯部２ｃの外側ラインが略直線状としたものを示す。作用帯部２ｃの内側には凸凹ライン２ａａがライン状に設けられており、（ｂ）で示した様に肌５の毛６を確実に捉えると同時に、毛６の先端が貫通穴２１から目視出来ることを示す。このため、確実に毛６を摘んでいることを確認する事が出来る。
【００１５】
図４は、本考案の実施例２の挟み具１３の斜視図を示す。作用部２には切り欠き部２２が設けられ魚お身５ａの骨６ａを摘んでいる状態を示す。先端作用部２の作用帯部２ｄの外側ラインは斜めに設けられると共に緩やかな曲線状とし、端部は丸みが設けられているものを示す。摘んでいる骨６ａの先端は切り欠き部２２を介し目視する事が出来る。これにより、確実に摘んでいる事を確認しやすいと共に、次の対象の骨も見えることで次の対象を見定めやすい。また、身を崩さず効率的に操作できるものである。
また、凸凹ライン２ａａは両作用部に設けても片側でも良い、また、凸凹ライン２ａａは、例えば０．２ｍｍ前後の高さの凸山、又は凸凹の山溝とする。山の高さが大きくなり過ぎると、毛の切れを生じ、小さくなると、太い毛が抜きにくくなる。凸凹ライン２ａａの間隔も例えば約０．３ｍｍ間隔に２から３本設ける。ここでは線模様であるが交差する模様などでも良い。毛などの方向と直交する方向に凸凹山溝を設けるのが望ましい。
【００１６】
図５は、本考案の実施例２の変形例の挟み具１４の斜視図を示す。一方の作用部２を平面状とし、切り欠き部を作用部の一方のみとし、円柱状の作用帯部２ｅを設け、切り欠き部２２を上下に設けたものを示す。
ここでは示さないが、貫通穴を作用部の一方としても良い。さらに、円柱状の作用帯部同士としたり、複数の作用帯部としても良い。
【００１７】
以上、本考案に付いて説明してきたが、作用部の表面にシリコンゴムを設けることにより、太めな毛と、細めな毛、又は、太目な骨と、細めな骨を同時に挟んでも、シリコンゴムの弾力により両方が押さえられ両方を一緒に抜くことが可能になるなど、色々な形状や組合せが考えられるが、このような範囲は本考案の応用の範囲と考えられる。
【符号の説明】
【００１８】
１０・１１・１２・１３・１４：挟み具、２：作用端部、３：指示部、３ａ：スプリング部、２０・２１：貫通部、２２：切り欠き部、２ａ・２ｂ・２ｃ・２ｄ・２ｅ：作用帯部、２ａａ：凸凹ライン、４：接合部、５：肌、５ａ：魚の身、６：毛、６ａ：骨、７・７ａ：勘合部、８：指
【図１】
0003178053.tif 000003
【図２】
0003178053.tif 000004
【図３】
0003178053.tif 000005
【図４】
0003178053.tif 000006
【図５】
0003178053.tif 000007